(57)【要約】【課題】ガスケットが外筒の底部に当接した状態の維持およびその解除が簡単な操作で行うことができるシリンジを提供すること。【解決手段】シリンジ１は、先端部に液体を吸引または排出する口部を有し、基端部が開放した有底筒状の外筒２と、外筒２内に挿入されたガスケットと、ガスケットを外筒２の軸方向に沿って移動操作する押し子３と、外筒２に設けられた１対の貫通孔２４、２５と、押し子３に設けられ、１対の貫通孔２４、２５に係合する１対の突起３５、３６とを有し、ガスケットが外筒２の底部に当接したときに、１対の突起３５、３６が外筒２の径方向に変位して、１対の貫通孔２４、２５と１対の突起３５、３６とが係合することにより、押し子３が外筒２の軸方向に移動するのを規制するロック手段７とを備える。【選択図】図４
2012179239.tif 000002
【特許請求の範囲】
【請求項１】
先端部に液体を吸引または排出する口部を有し、基端部が開放した有底筒状の外筒と、
前記外筒内に挿入されたガスケットと、
前記ガスケットを前記外筒の軸方向に沿って移動操作する押し子と、
前記外筒に設けられた第１の係合部と、前記押し子に設けられ、前記第１の係合部に係合する第２の係合部とを有し、前記ガスケットが前記外筒の底部に当接したときに、前記第２の係合部が前記外筒の径方向に変位して、前記第１の係合部と前記第２の係合部とが係合することにより、前記押し子が前記外筒の軸方向に移動するのを規制するロック手段とを備え、
前記ロック手段は、前記外筒の径方向に押圧操作されることにより、前記第１の係合部と前記第２の係合部との係合を解除し得るように構成されていることを特徴とするシリンジ。
【請求項２】
前記押し子を前記外筒に対してその中心軸まわりに回転させない状態で、前記ガスケットが前記外筒の底部に当接するまで前記押し子を前記外筒の先端部側に移動させることにより、前記第１の係合部と前記第２の係合部とが係合する請求項１に記載のシリンジ。
【請求項３】
前記第１の係合部は、前記外筒の内側に臨むように設けられ、前記第２の係合部は、前記外筒の内側から前記第１の係合部に係合する請求項１または２に記載のシリンジ。
【請求項４】
前記第１の係合部は、前記外筒に形成された孔または凹部で構成され、前記第２の係合部は、前記押し子の中心軸側から外側へ突出する突起で構成されている請求項３に記載のシリンジ。
【請求項５】
前記押し子には、前記外筒の径方向に弾性変形可能に設けられた弾性部材が設けられ、
前記突起は、前記弾性部材に支持されている請求項４に記載のシリンジ。
【請求項６】
前記押し子を前記外筒に対して軸線回りに回転するのを防止する回転防止手段を有する請求項１ないし５のいずれかに記載のシリンジ。
【請求項７】
前記回転防止手段は、前記押し子の軸方向に沿って形成されたリブと、前記リブを挟むように前記外筒の内側に突出した１対の突起とを有する請求項６に記載のシリンジ。
【請求項８】
前記回転防止手段は、前記押し子が前記外筒から外れるのを防止する機能をも有する請求項６または７に記載のシリンジ。
【発明の詳細な説明】
【技術分野】
【０００１】
本発明は、シリンジに関するものである。
【背景技術】
【０００２】
例えば患者へ薬液等の液体を投与するのに用いるシリンジは、一般に、先端部に突出形成された口部を有する外筒と、外筒の基端部に形成されたフランジ（指当て部）と、外筒内に挿入されたガスケットと、ガスケットを外筒の軸方向に沿って移動操作する押し子とを備える。
【０００３】
従来、このようなシリンジとしては、ガスケットが外筒の所定位置よりも基端側へ移動しないように、押し子が外筒の軸方向に移動する範囲を制限するものが知られている（例えば、特許文献１参照）。
【０００４】
例えば、特許文献１に記載のシリンジは、ガスケットが外筒の軸方向での途中に位置する状態で、外筒側に設けられた係合部と、押し子に設けられた係合部とが係合することにより、その位置よりも基端方向に押し子が移動するのを防止する。
【０００５】
このような特許文献１に係るシリンジは、ガスケットが外筒の底部に当接する状態で押し子の移動を規制することができない。そのため、例えば、バイアル瓶内にシリンジ内の液体を注入する際に、バイアル瓶内の圧力が高まることによって、押し子が勝手に戻されてしまうという問題があった。
【０００６】
また、特許文献１の図２等には、押し子の基端側への移動の規制およびその解除の双方が可能な構成のシリンジが開示されているが、かかる構成のシリンジでは、押し子をその軸線回りに回転させるという操作を要し、操作性が悪いという問題がある。
【先行技術文献】
【特許文献】
【０００７】
【特許文献１】特開２００３−２６５６０７号公報
【発明の概要】
【発明が解決しようとする課題】
【０００８】
本発明の目的は、ガスケットが外筒の底部に当接した状態の維持およびその解除が簡単な操作で行うことができるシリンジを提供することにある。
【課題を解決するための手段】
【０００９】
このような目的は、下記（１）〜（８）の本発明により達成される。
（１）  先端部に液体を吸引または排出する口部を有し、基端部が開放した有底筒状の外筒と、
前記外筒内に挿入されたガスケットと、
前記ガスケットを前記外筒の軸方向に沿って移動操作する押し子と、
前記外筒に設けられた第１の係合部と、前記押し子に設けられ、前記第１の係合部に係合する第２の係合部とを有し、前記ガスケットが前記外筒の底部に当接したときに、前記第１の係合部および前記第２の係合部のうちの一方の係合部が前記外筒の径方向に変位して、前記第１の係合部と前記第２の係合部とが係合することにより、前記押し子が前記外筒の軸方向に移動するのを規制するロック手段とを備えることを特徴とするシリンジ。
【００１０】
（２）  前記ロック手段は、前記外筒の径方向に押圧操作されることにより、前記第１の係合部と前記第２の係合部との係合を解除し得るように構成されている上記（１）に記載のシリンジ。
【００１１】
（３）  前記第１の係合部は、前記外筒の内側に臨むように設けられ、前記第２の係合部は、前記外筒の内側から前記第１の係合部に係合する上記（１）または（２）に記載のシリンジ。
【００１２】
（４）  前記第１の係合部は、前記外筒に形成された孔または凹部で構成され、前記第２の係合部は、前記押し子の中心軸側から外側へ突出する突起で構成されている上記（３）に記載のシリンジ。
【００１３】
（５）  前記押し子には、前記外筒の径方向に弾性変形可能に設けられた弾性部材が設けられ、
前記突起は、前記弾性部材に支持されている上記（４）に記載のシリンジ。
【００１４】
（６）  前記押し子を前記外筒に対して軸線回りに回転するのを防止する回転防止手段を有する上記（１）ないし（５）のいずれかに記載のシリンジ。
【００１５】
（７）  前記回転防止手段は、前記押し子の軸方向に沿って形成されたリブと、前記リブを挟むように前記外筒の内側に突出した１対の突起とを有する上記（６）に記載のシリンジ。
【００１６】
（８）前記回転防止手段は、前記押し子が前記外筒から外れるのを防止する機能をも有する上記（１）ないし（７）のいずれかに記載のシリンジ。
【発明の効果】
【００１７】
本発明によれば、ガスケットが外筒の底部に当接したときに、第１の係合部と第２の係合部とが係合することにより、押し子が外筒の軸方向に移動するのを規制する。そのため、ガスケットが外筒の底部に当接した状態を維持することができる。
【００１８】
また、第１の係合部および第２の係合部のうちの一方の係合部が外筒の径方向に変位して、第１の係合部と第２の係合部とが係合する。そのため、押し子を回転操作することなく、押し子を押し込むだけの簡単な操作で、ガスケットが外筒の底部に当接した状態を維持することができる。
【００１９】
さらに、第１の係合部および第２の係合部のうちの一方の係合部を外筒の径方向に変位させることにより、第１の係合部と第２の係合部との係合を解除することができる。そのため、ガスケットが外筒の底部に当接した状態を維持したロック状態の解除を簡単な操作で行うことができる。
【図面の簡単な説明】
【００２０】
【図１】本発明のシリンジの実施形態を示す斜視図である。
【図２】図１に示すシリンジの押し子固定具近傍を示す横断面図である。
【図３】図１に示すシリンジの押し子固定具近傍を示す縦断面図である。
【図４】図１に示すシリンジのロック状態を示す縦断面図である。
【発明を実施するための形態】
【００２１】
以下、本発明のシリンジを添付図面に示す好適な実施形態に基づいて詳細に説明する。
図１は、本発明のシリンジの実施形態を示す斜視図、図２は、図１に示すシリンジの押し子固定具近傍を示す横断面図、図３は、図１に示すシリンジの押し子固定具近傍を示す縦断面図、図４は、図１に示すシリンジのロック状態を示す縦断面図である。
【００２２】
なお、以下では、説明の便宜上、図１、図２および図４中の右側を「先端」、左側を「基端（後端）」として説明を行う。
【００２３】
図１に示すように、シリンジ１は、外筒２と、外筒２内で摺動し得るガスケット６と、ガスケット６を外筒２の軸方向に沿って移動操作する押し子３と、押し子３が外筒２内で回転するのを防止する回転防止部材５とを備えている。ガスケット６は、押し子３の先端に連結されている。
【００２４】
また、シリンジ１は、ガスケット６が外筒２の底部に当接したときに、押し子３が外筒２の軸方向に移動するのを規制するロック手段７を備えている（図２〜４参照）。
【００２５】
以下、シリンジ１を構成する各部を順次説明する。
外筒２は、有底筒状の部材で構成され、その先端部、すなわち、先端側底部の中央部には、外筒２の胴部に対し縮径した口部２２が一体的に突出形成されている。この口部２２からは、薬液等の液体が吸引または排出される。また、口部２２には、図示しない穿刺針の基端部に設けられているハブが着脱自在に接続されるようになっている。
【００２６】
外筒２の基端部は、開放しており、外筒２の基端部、すなわち、外筒２の基端外周には、指当て部４が一体的に形成されている。なお、指当て部４は、外筒２とは別体として設けられていてもよい。また、指当て部４に対して、指当て部として機能し得る部位を拡張する部材をさらに装着することもできる。
【００２７】
指当て部４は、外筒２の中心軸を介して互いに反対方向に突出した１対の板状部で構成されている。本実施形態では、外筒２の軸方向から見たとき、図２に示すように、指当て部４は、長方形の各辺をそれぞれ外側が凸となるように湾曲させた形状をなしている。これにより、シリンジ１を包装体に包装したときにかさばらず、全体を小さくすることができる。
【００２８】
使用者は、シリンジ１を使用する際は、指当て部４の突出方向の部位に手指を掛けて使用する。
【００２９】
なお、指当て部４の形状は、板状をなし、外筒２の中心軸を介して互いに反対方向に突出していれば、図示の形状には限定されず、この他、例えば、楕円形、長方形の角部を丸めた形状等が挙げられる。
【００３０】
また、図２および図３に示すように、外筒２の胴部には、径方向に内外に貫通する１対の貫通孔２４、２５が形成されている。この１対の貫通孔２４、２５は、後述する押し子３の突起３５、３６を係合させるためのものであり、後述するロック手段７の一部を構成する。なお、１対の貫通孔２４、２５については、ロック手段７の説明とともに、後に詳述する。
【００３１】
さらに、図示しないが、外筒２の胴部には、後述する回転防止部材５の突起５２、５３が挿通される貫通孔も形成されている。なお、この貫通孔は、貫通孔２４、２５と連続して形成されていてもよい。
【００３２】
また、外筒２の外周面には、後述する回転防止部材５と係合する突起２３が形成されている。この突起２３は、回転防止部材５が外筒２の外周面に沿って回転するのを防止する機能を有する。
また、外筒２の外周面には、液量を示す図示しない目盛りが付されている。
【００３３】
このような外筒２の構成材料としては、特に限定されず、例えば、ポリ塩化ビニル、ポリエチレン、ポリプロピレン、環状ポリオレフィン、ポリスチレン、ポリ−（４−メチルペンテン−１）、ポリカーボネート、アクリル樹脂、アクリロニトリル−ブタジエン−スチレン共重合体、ポリエチレンテレフタレート、ポリエチレンナフタレート等のポリエステル、ブタジエン−スチレン共重合体、ポリアミド（例えば、ナイロン６、ナイロン６・６、ナイロン６・１０、ナイロン１２）のような各種樹脂が挙げられるが、その中でも、成形が容易であり、かつ水蒸気透過性が低い点で、ポリプロピレン、環状ポリオレフィン、ポリエステルのような樹脂が好ましい。なお、外筒２の構成材料は、内部の視認性を確保するために、実質的に透明であるのが好ましい。
【００３４】
このような外筒２内には、弾性材料で構成されたガスケット６が挿入されている。ガスケット６の外周部には、複数（本実施形態では２つ）のリング状の突部が全周に亘って形成されており、これらの突部が外筒２の内周面に密着しつつ摺動することで、液密性をより確実に保持するとともに、摺動性の向上が図れる。
【００３５】
また、ガスケット６には、その基端面に開放する中空部が形成されている。この中空部は、後述する押し子３のヘッド部が嵌入される。ガスケット６の中空部の内面には、凹凸が形成されている。
【００３６】
ガスケット６の構成材料としては、特に限定されず、例えば、天然ゴム、ブチルゴム、イソプレンゴム、ブタジエンゴム、スチレン−ブタジエンゴム、シリコーンゴムのような各種ゴム材料や、ポリウレタン系、ポリエステル系、ポリアミド系、オレフィン系、スチレン系等の各種熱可塑性エラストマー、あるいはそれらの混合物等の弾性材料が挙げられる。
【００３７】
押し子３は、棒状の本体部３１を有している。
この本体部３１は、横断面が十文字状をなしている。すなわち、本体部３１は、周方向に等角度間隔で設けられ、径方向に突出するとともに押し子３の軸方向に沿って形成された４本のリブが形成されている。
【００３８】
本体部３１の先端側には、ガスケット６の中空部内に挿入され、ガスケット６と連結されるヘッド部が形成されている。ヘッド部の外周には、ガスケット６の中空部の内面の凹凸と嵌合し得る凹凸が形成されている。この嵌合により、ガスケット６と押し子３とが連結される。なお、ガスケット６と押し子３は、凹凸嵌合による連結に限らず、例えば螺合等により連結された構成、接着、融着等により固着された構成、一体成形された構成であってもよい。
【００３９】
また、本体部３１の基端側には、円盤状のフランジ３２が形成されている。
このフランジ３２の先端側の面には、先端方向に突出する長尺状の１対の弾性部材３３、３４が設けられている。この弾性部材３３の先端部、すなわち、自由端部には、外側に向けて突出する突起３５が形成されている。同様に、弾性部材３４の先端部には、外側に向けて突出する突起３６が形成されている。これら１対の弾性部材３３、３４および１対の突起３５、３６は、後述するロック手段７の一部を構成する。なお、弾性部材３３、３４および突起３５、３６については、後述するロック手段７の説明とともに、後に詳述する。
【００４０】
また、押し子３の構成材料としては、特に限定されず、前述した外筒２の構成材料として例示したものと同様のものを用いることができる。
【００４１】
また、外筒２には、回転防止部材５が設けられている。
この回転防止部材５は、筒状の周方向での一部を欠いた形状をなす本体部を有する。すなわち、図２に示すように、回転防止部材５の本体部の横断面は、欠損部５１を有するＣ字状をなしている。このような形状をなす本体部を有することにより、外筒２の外周面に対する回転防止部材５の装着を容易なものとするとともに、前述した突起２３と欠損部５１との係合により回転防止部材５が外筒２から外れ難くすることができる。なお、回転防止部材５の本体部の形状は、図示のものに限定されず、例えば、筒状をなしていてもよい。この場合、例えば、回転防止部材５を分割可能な二部材で構成すれば、外筒２に対して回転防止部材５を装着することができる。
【００４２】
そして、回転防止部材５には、その内側に突出する１対の突起５２および１対の突起５３が形成されている。
【００４３】
これらの突起５２、５３は、それぞれ、外筒２の胴部に形成された貫通孔（図示せず）を介して、外筒２の内側へ突出している。そして、１対の突起５２は、前述した押し子３の本体部３１の４つのリブのうち、１つのリブの外側端部を挟んでいる。同様に、１対の突起５３は、前述した押し子３の本体部３１の４つのリブのうち、１対の突起５２により挟まれるリブとは反対側の１つのリブの外側端部を挟んでいる。
【００４４】
このような１対の突起５２および１対の突起５３は、押し子３を軸方向に沿って案内する機能を有する。言い換えると、１対の突起５２および１対の突起５３は、押し子３が軸線回りに回転するのを防止する回転防止手段を構成する。このような回転防止手段により、後に詳述する１対の突起３５、３６と１対の貫通孔２４、２５との係合を確実なものとすることができる。
【００４５】
特に、本実施形態では、１対の突起５２および１対の突起５３は、前述した外筒２の貫通孔２４、２５に対して基端側に位置している。そして、図２に示すように、外筒２の軸方向からみたときに、１対の突起５２が貫通孔２４を挟み、また、１対の突起５３が貫通孔２５を挟んでいる。このように１対の突起５２および１対の突起５３が貫通孔２４、２５に対して配置されていることにより、押し子３を先端側に押し込んだときに、１対の突起５２により後述する突起３５が貫通孔２４内に案内されるとともに、１対の突起５３により後述する突起３６が貫通孔２５内に案内される。そのため、突起３５と貫通孔２４との係合、および、突起３６と貫通孔２５との係合がそれぞれより確実に行われる。
【００４６】
また、１対の突起５２および１対の突起５３は、押し子３のヘッド部との当接により、押し子３が外筒２から外れるのを防止する回転防止手段としての機能をも有する。これにより、押し子３を基端側へ移動させる際に、操作者が押し子３の移動量を気にしなくて済むので、操作性を高めることができる。
【００４７】
なお、１対の突起５２および１対の突起５３のうちの一部の突起を省略してもよい。例えば、押し子３が軸線回りに回転するのを防止するには、１対の突起５２または１対の突起５３が設けられているか、または、１対の突起５２のうちの一方の突起５２と、１対の突起５３のうち当該一方の突起５２と同じ側の突起５３とが設けられていればよい。また、押し子３が外筒２から抜けてしまうのを防止するには、１対の突起５２および１対の突起５３のうち、少なくとも１つの突起が設けられていればよい。
【００４８】
また、回転防止部材５の内側の面、すなわち、外筒２の外周面に対向する側の面には、前述した外筒２の１対の貫通孔２４、２５に対応する位置に、１対の凹部５４、５５が形成されている。この１対の凹部５４、５５は、後述するように外筒２の貫通孔２４、２５に押し子３の突起３５、３６が係合したとき、突起３５、３６が回転防止部材５に接触するのを防止する逃げ部を構成する。このような逃げ部を設けることにより、貫通孔２４、２５に対する突起３５、３６の進入量を大きくし、後述するロック手段７によるロック状態の維持をより確実なものとすることができる。
【００４９】
また、回転防止部材５の構成材料としては、特に限定されず、前述した外筒２の構成材料として例示したものと同様のものを用いることができる。
【００５０】
ここで、ロック手段７について詳述する。
ロック手段７は、ガスケット６が外筒２の先端側底部に当接するまで押し子３を移動させたときに押し子３の軸方向での位置をロックし、そのロックを所望時に解除し得るものである。
【００５１】
このようなロック手段７は、前述した外筒２に設けられた１対の貫通孔２４、２５（第１の係合部）と、前述した押し子３に設けられた１対の弾性部材３３、３４および１対の突起３５、３６（第２の係合部）とを有する。
【００５２】
突起３５は、片持ち支持された弾性部材３３の自由端部に設けられ、同様に、突起３６は、片持ち支持された弾性部材３４の自由端部に設けられている。
【００５３】
弾性部材３３、３４は、それぞれ、長尺状をなし、押し子３の長手方向に沿って設けられている。
【００５４】
また、本体部３１の中心軸を介して互いに対向する２対のリブのうちの１対のリブの基端部側の一部が欠損しており、その欠損部に、１対の弾性部材３３、３４が設けられている。
【００５５】
また、弾性部材３３、３４は、それぞれ、押し子３の中心軸に接近離間する方向に弾性変形し得るように構成されている。すなわち、１対の弾性部材３３、３４は、それぞれ、外筒２の径方向に弾性変形可能に設けられている。これにより、弾性部材３３に支持された突起３５、および、弾性部材３４に支持された突起３６を外筒２の径方向に変位させることができる。そのため、１対の突起３５、３６と１対の貫通孔２４、２５との係合およびその解除を簡単化することができる。
【００５６】
この１対の弾性部材３３、３４は、押し子３の軸に対して対称となるように設けられ、外力が付与されていない自然状態において、突起３５の先端と突起３６の先端との間の距離が外筒２の内径よりも大きくなるように構成されている。
【００５７】
また、この１対の弾性部材３３、３４は、外力が付与されていない自然状態において、突起３５の基端と突起３６の基端との間の距離が外筒２の内径と同等またはそれよりも若干小さくなるように構成されている。
【００５８】
このような１対の弾性部材３３、３４は、押し子３の軸線側へ外力を付与することにより、突起３５の先端と突起３６の先端との間の距離を外筒２の内径よりも小さくすることができる。そのため、図３の二点鎖線で示すように、１対の弾性部材３３、３４を弾性変形させた状態で、外筒２内に１対の突起３５、３６を進入させることができる。
【００５９】
突起３５の先端側には、傾斜面３５１が形成され、同様に、突起３６の先端側には、傾斜面３６１が形成されている。これにより、外筒２内に１対の突起３５、３６を円滑に進入させることができる。
【００６０】
突起３５は、押し子３の中心軸側から外側へ突出し、ガスケット６が外筒２の底部に当接したときに、外筒２の径方向に変位して、貫通孔２４と係合するものである。より具体的には、突起３５は、ガスケット６が外筒２の先端側底部に当接するまで押し子３を移動させたときに、図４に示すように、弾性部材３３の弾性力により貫通孔２４内に進入して、貫通孔２４と係合するものである。
【００６１】
同様に、突起３６は、押し子３の中心軸側から外側へ突出し、ガスケット６が外筒２の底部に当接したときに、外筒２の径方向に変位して、貫通孔２５と係合するものである。
【００６２】
このような突起３５と貫通孔２４との係合、および、突起３６と貫通孔２５との係合により、押し子３が外筒２の軸方向に移動するのを規制する。すなわち、ガスケット６が外筒２の先端側底部に当接するまで押し子３を移動させたときに、突起３５と貫通孔２４との係合、および、突起３６と貫通孔２５との係合により、押し子３の軸方向での位置をロックすることができる。
【００６３】
このようなロック状態は、各弾性部材３３、３４に対して押し子３の中心軸側へ外力を付与することにより解除することができる。より具体的には、ロック状態において、各弾性部材３３、３４の少なくとも一部が外筒２の基端部から露出している。そのため、操作者が１対の弾性部材３３、３４を互いに接近させるように力を加えて摘まんだ状態で、押し子３を基端部側へ引くことにより、突起３５と貫通孔２４との係合、および、突起３６と貫通孔２５との係合をそれぞれ解除することができる。
【００６４】
このように、１対の突起３５、３６と１対の貫通孔２４、２５との係合を、外筒２の径方向での押圧操作により解除することができる。これにより、簡単な操作で、１対の突起３５、３６と１対の貫通孔２４、２５との係合を解除することができる。また、１対の突起３５、３６と１対の貫通孔２４、２５との係合を解除することにより、上述した操作を繰り返し行うことができる。ここで、１対の弾性部材３３、３４は、突起３５と貫通孔２４との係合、および、突起３６と貫通孔２５との係合を解除する操作を行うための操作部を構成するとも言える。
【００６５】
このようなロック状態の解除の際、押し子３を基端部側へ引き続けようとしても、前述したように、回転防止部材５の１対の突起５２および１対の突起５３が押し子３のヘッド部と当接するので、押し子３が外筒２から抜けるのを防止することができる。
【００６６】
以上説明したようなシリンジ１によれば、ガスケットが外筒の底部に当接したとき、１対の貫通孔２４、２５と１対の突起３５、３６とが係合することにより、押し子３が外筒２の軸方向に移動するのを規制する。そのため、ガスケット６が外筒２の底部に当接した状態を維持することができる。すなわち、押し子３を外筒２の先端側へ押し切ったときに、その状態をロックすることができる。
【００６７】
また、１対の突起３５、３６が外筒２の径方向に変位して、１対の貫通孔２４、２５と１対の突起３５、３６とが係合する。そのため、押し子３を回転操作することなく、押し子３を押し込むだけの簡単な操作で、ガスケット６が外筒２の底部に当接した状態を維持することができる。
【００６８】
さらに、１対の突起３５、３６を外筒２の径方向に変位させることにより、１対の貫通孔２４、２５と１対の突起３５、３６との係合を解除することができる。そのため、上記ロック状態の解除も、１対の弾性部材３３、３４を摘まみながら押し子３を基端側へ移動させるという簡単な操作で行うことができる。
【００６９】
また、１対の貫通孔２４、２５が外筒２の内側に臨むように設けられ、１対の突起３５、３６が外筒２の内側から１対の貫通孔２４、２５に係合するので、外筒２内の空間を有効利用して、ロック手段７を構成することができる。そのため、シリンジ１が大型化するのを防止することができる。
【００７０】
以上、本発明のシリンジを、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【００７１】
例えば、前述した実施形態では、第１の係合部が外筒２の内側に臨むように設けられ、第２の係合部が外筒２の内側から第１の係合部に係合する場合を例に説明したが、第１の係合部が外筒２の外側に臨むように設けられ、第２の係合部が外筒２の外側から第１の係合部に係合するように構成してもよい。
【００７２】
また、前述した実施形態では、第１の係合部を外筒２に形成された貫通孔で構成し、第２の係合部を押し子３に設けた突起で構成した場合を例に説明したが、第１の係合部を外筒２に設けた突起で構成し、第２の係合部を押し子３に形成した孔で構成してもよい。また、第１の係合部または第２の係合部は、凹部で構成されていてもよい。ただし、本実施形態のように、第１の係合部が外筒２の内側に臨むように設けられ、第２の係合部が外筒２の内側から第１の係合部に係合する場合、第１の係合部を外筒２に形成された貫通孔で構成し、第２の係合部を押し子３に設けた突起で構成することにより、シリンジ１の組み立てを簡単化しつつ、ロック手段７を実現することができる。
【００７３】
また、本発明のシリンジは、例えば、予め外筒とガスケットとで囲まれた空間（貯液空間）に、薬液等が収納されたプレフィルドシリンジと、通常のシリンジとのそれぞれに適用することができる。
【符号の説明】
【００７４】
１          シリンジ
２          外筒
３          押し子
４          指当て部
５          回転防止部材
６          ガスケット
７          ロック手段
２２          口部
２３          突起
２４          貫通孔
２５          貫通孔
３１          本体部
３２          フランジ
３３          弾性部材
３４          弾性部材
３５          突起
３６          突起
５１          欠損部
５２          突起
５３          突起
５４          凹部
５５          凹部
３５１          傾斜面
３６１          傾斜面
【図１】
2012179239.tif 000003
【図２】
2012179239.tif 000004
【図３】
2012179239.tif 000005
【図４】
2012179239.tif 000006